(57)【要約】【課題】回路基板の発生する熱を放熱しやすくすると共に、充電池の取り外しも容易にする。【解決手段】板金フレーム６の背面に銅箔及びこの銅箔を保護する保護シートを有する接地シート１０を貼り付ける。充電池７における接地シート１０側に充電池７の移動を抑制する滑り止めシート１１を貼り付け、充電池７と回路基板８との間に充電池７の厚さ方向に圧縮可能な押圧クッション１２を配置する。接地シート１０を充電池７の背面側まで折り返し、押圧クッション１２と回路基板８との間に挟む。【選択図】図１
2014116749.tif 000002
【特許請求の範囲】
【請求項１】
表示部と、
板金フレームを有し、上記表示部を該板金フレームの正面側に収容する正面側キャビネットと、
上記板金フレームの背面側に配置される充電池と、
上記充電池の背面側に配置される回路基板と、
上記正面側キャビネットに結合され、上記充電池及び回路基板を収容する背面側キャビネットとを備え、
上記板金フレームの背面には、導電体及び該導電体を保護する保護シートを有する接地シートが貼り付けられ、
上記充電池における上記接地シート側には、該充電池の移動を抑制する滑り止めシートが貼り付けられ、
上記充電池と上記回路基板との間には、上記充電池の厚さ方向に圧縮可能な押圧クッションが配置されており、
上記接地シートは、上記充電池の背面側まで折り返され、上記押圧クッションと上記回路基板との間に挟まれ、該回路基板と上記板金フレームとが接地している
ことを特徴とする携帯端末。
【請求項２】
請求項１に記載の携帯端末において、
上記接地シートの上記板金フレームに貼り付けられた部分における幅方向両端には、該幅方向に延長された延長部がそれぞれ形成され、該延長部が上記回路基板に接地している
ことを特徴とする携帯端末。
【請求項３】
請求項１又は２に記載の携帯端末において、
上記保護シートは、熱伝導材料を含み、上記回路基板の熱を上記板金フレームに伝熱可能に構成されている
ことを特徴とする携帯端末。
【発明の詳細な説明】
【技術分野】
【０００１】
本発明は、充電池が表示部と回路基板との間に収容された携帯端末に関するものである。
【背景技術】
【０００２】
従来より、携帯電話機に代表される携帯端末では、充電池の交換を容易にするため、表示部、回路基板及び充電池の順に筐体内に充電池が収容されていた（例えば、特許文献１参照）。
【先行技術文献】
【特許文献】
【０００３】
【特許文献１】特開２０１２−１０００３４号公報
【発明の概要】
【発明が解決しようとする課題】
【０００４】
近年、スマートフォンが流通するようになり、携帯端末は、ますます表示部が大きくなり、全体の厚さも薄くなってきている。
【０００５】
一方で、充電池の持ちをよくするために充電池を大きくしたいという要請がある。このため、丸みを帯びた側面を有する筐体内の厚さ方向中央に充電池を配置する目的で、表示部、充電池及び回路基板の順に充電池を収容することが考えられる。
【０００６】
この場合、回路基板の接地が必要な電子部品から、充電池の奥にある表示部背面側の板金フレームにそれぞれ個別に接地すると、それぞれの線幅が狭く確実に接地されないという問題がある。
【０００７】
本発明は、かかる点に鑑みてなされたものであり、その目的とするところは、簡単な構成で回路基板を板金フレームに対して確実に接地できるようにすることにある。
【課題を解決するための手段】
【０００８】
上記の目的を達成するために、この発明では、充電池の両側を接地シートで挟み込むようにした。
【０００９】
具体的には、第１の発明では、
表示部と、
板金フレームを有し、上記表示部を該板金フレームの正面側に収容する正面側キャビネットと、
上記板金フレームの背面側に配置される充電池と、
上記充電池の背面側に配置される回路基板と、
上記正面側キャビネットに結合され、上記充電池及び回路基板を収容する背面側キャビネットとを備え、
上記板金フレームの背面には、導電体及び該導電体を保護する保護シートを有する接地シートが貼り付けられ、
上記充電池における上記接地シート側には、該充電池の移動を抑制する滑り止めシートが貼り付けられ、
上記充電池と上記回路基板との間には、上記充電池の厚さ方向に圧縮可能な押圧クッションが配置されており、
上記接地シートは、上記充電池の背面側まで折り返され、上記押圧クッションと上記回路基板との間に挟まれ、該回路基板と上記板金フレームとが接地している。
【００１０】
上記の構成によると、充電池の背面側の押圧クッションにより、充電池を板金フレーム側に押し付けると共に、充電池に貼り付けた滑り止めシートが充電池の移動を抑制するので、落下時等に充電池が移動せず、回路基板の損傷が防止される。そして、個別に接地しなくても、押圧クッションによって厚さ方向に押さえ付けられた一枚の接地シートにより、広い面積で回路基板に対して確実に接地される。
【発明の効果】
【００１１】
以上説明したように、本発明によれば、板金フレームの背面に導電体及びこの導電体を保護する保護シートを有する接地シートを貼り付け、充電池の接地シート側に充電池の移動を抑制する滑り止めシートを貼り付け、充電池と回路基板との間に充電池の厚さ方向に圧縮可能な押圧クッションを配置し、押圧クッションと回路基板との間に折り返された接地シートを挟み込んだことにより、簡単な構成で回路基板の接地を確実に行うことができると共に、充電池の取り外しも容易にすることができる。
【図面の簡単な説明】
【００１２】
【図１】図２のＩ−Ｉ線断面図であり、一部を拡大して示す。
【図２】本発明の実施形態に係る携帯電話機を示し、（ａ）が正面から見た斜視図で、（ｂ）が背面から見た斜視図である。
【図３】図２のIII−III線拡大断面図である。
【図４】携帯電話機を正面側から見た分解斜視図である。
【図５】携帯電話機を背面側から見た分解斜視図である。
【図６】回路基板、充電池及び接地シートを示し、（ａ）が正面側から見た斜視図で、（ｂ）が背面側から見た斜視図である。
【図７】接地シートを示し、（ａ）が正面図で、（ｂ）が側面図で、（ｃ）が分解図である。
【発明を実施するための形態】
【００１３】
以下、本発明の実施形態を図面に基づいて説明する。
【００１４】
図２は、本発明の実施形態に係る携帯電話機１を示し、（ａ）が正面から見た斜視図で、（ｂ）が背面から見た斜視図である。図１は、図２のＩ−Ｉ線断面図であり、一部を拡大して示す。図３は、図２のIII−III線断面図である。図４は、携帯電話機１を正面側から見た分解斜視図であり、図５は、背面側から見た分解斜視図である。携帯電話機１は、いわゆるスマートフォンであり、正面側にタッチパネルを有する表示部２を備える（ディスプレイユニットを二点鎖線で示す）。表示部２は、正面側キャビネット３に収容されている。正面側キャビネット３の背面側に背面側キャビネット４が図示しないビス等で結合され、その背面がリアカバー５で覆われている。正面側キャビネット３には、ステンレス薄板等よりなる板金フレーム６がインサート成形されている。表示部２は、この板金フレーム６とその周囲の樹脂部分で形成されたディスプレイ収容部３ａに収容されている。
【００１５】
図６は、回路基板及び充電池を示し、（ａ）が正面側から見た斜視図で、（ｂ）が背面側から見た斜視図である。板金フレーム６の背面側には、矩形板状の充電池７が配置されている。この充電池７の背面側に回路基板８が配置され、これら充電池７及び回路基板８が正面側キャビネット３に結合された背面側キャビネット４に収容されている。回路基板８は、発熱源となるＣＰＵなどの電子部品を多数搭載している。充電池７は、例えば、リチウムイオンポリマー二次電池よりなる。そして、板金フレーム６の背面には、接地シート１０が貼り付けられている。
【００１６】
図７は、接地シート１０を示し、（ａ）が正面図で、（ｂ）が側面図で、（ｃ）が分解図である。図７に分解して示すように、接地シート１０は、導電体としての銅箔１４と、この銅箔１４を保護する保護シート１５とを備えている。保護シート１５は、熱伝導性の高い熱伝導材料であるグラファイトシート１６を含み、伝熱性能が高い。保護シート１５と銅箔１４とは、両面粘着テープ１７により接着されている。銅箔１４と板金フレーム６とは、導電性部材が混入されて導電性が確保された導電性両面テープ１８によって板金フレーム６に貼り付けられている。導電性両面テープ１８は、導電性を有するので、銅箔１４と板金フレーム６との間の電気的導通を妨げにくくなっている。
【００１７】
一方、図４等に示すように、充電池７における接地シート１０側（正面側）には、充電池７の移動を抑制する矩形状の滑り止めシート１１が貼り付けられている。滑り止めシート１１は、シリコンゴムなどの摩擦係数が大きく、かつある程度柔らかいものよりなり、充電池７が接地シート１０に対して上下左右方向に移動するのを抑制し、厚さ方向には変形可能となっている。
【００１８】
本実施形態では、例えば、充電池７は、上側のみが電池接着用両面テープ（図示せず）によって接地シート１０に貼り付けられている。この接地シート１０が充電池７に貼り付けられた部分は、導電性両面テープ１８がなく、板金フレーム６の背面には貼り付けられていない。なお、この電池接着用両面テープは貼り付けられてなくてもよい。
【００１９】
また、図５等に示すように、充電池７と回路基板８の間には、充電池７の厚さ方向に圧縮可能な押圧クッション１２が配置されている。具体的には、押圧クッション１２は、例えば中央が切り抜かれた枠形シート状のウレタンよりなる。
【００２０】
図６に示すように、接地シート１０は、板金フレーム６との接着部分から上方に延長されており、充電池７の背面側まで折り返されている。接地シート１０は、充電池７の正面及び背面を上から覆うようにして押圧クッション１２と回路基板８との間に挟まれている。押圧クッション１２は、滑り止めシート１１のように摩擦係数は大きくないので、その背面に折り返された接地シート１０は上下左右方向に滑ることが可能となっている。押圧クッション１２が当接する部分で接地シート１０は回路基板８側に押し付けられ、銅箔１４の背面側が回路基板８の正面側に接地している。なお、押圧クッション１２の中央が切り抜かれることで、充電池７の膨らみを許容できるようになっている。
【００２１】
そして、接地シート１０の正面側の導電性両面テープ１８によって板金フレーム６に貼り付けられた部分は、その幅方向（左右方向）両端に左右方向へ延びる延長部１０ａを備えている。回路基板８には、この延長部１０ａに合わせて接地点（図示せず）が設けられており、延長部１０ａは、回路基板８側へ折り返されて、この接地点において接地している。銅箔１４は、ある程度形状を保つことができるので、延長部１０ａを折り返すことで、接地シート１０の位置がずれにくくなっている。
【００２２】
−実施形態の効果−
（１）本実施形態によると、充電池７の背面側の押圧クッション１２により、充電池７を板金フレーム６側に押し付けると共に、充電池７に貼り付けた滑り止めシート１１が充電池７の移動を抑制するので、落下時に充電池７が移動せず、回路基板８の損傷が防止される。また、充電池７を両面テープ等でしっかりと固定する必要がないので、充電池７の取り外しが極めて容易となる。そして、押圧クッション１２によって厚さ方向に押さえ付けられた接地シート１０により、回路基板８が確実に接地される。このため、回路基板８の電子部品からそれぞれ接地する必要がなく、一枚の接地シート１０により、回路基板８の正面側全体からの接地が可能である。
【００２３】
（２）接地シート１０の板金フレーム６に貼り付けられた部分における幅方向両端には、幅方向に延長された延長部１０ａがそれぞれ形成され、この延長部１０ａが回路基板８に接地している。このため、接地シート１０の折り返し部分だけでなく、延長部１０ａにおいて電子部品のある回路基板８の背面側からも接地できるので、さらに確実な接地が可能となる。
【００２４】
（３）保護シート１５は、熱伝導材料を含み、回路基板８の熱を板金フレーム６に伝熱可能に構成されている。このように、接地シート１０の保護シート１５が熱伝導材料を含むことで、この接地シート１０により回路基板８の熱が板金フレーム６側に伝えられる。本実施形態では、銅箔１４も熱伝導率が高いので、銅箔１４も熱伝導の役割を果たしている。このため、熱がこもってユーザに不快感を与えたり、誤動作を発生させたりするのが防止される。
【００２５】
したがって、本実施形態によれば、簡単な構成で回路基板８の接地を確実に行うことができる。
【００２６】
（その他の実施形態）
本発明は、上記実施形態について、以下のような構成としてもよい。
【００２７】
すなわち、上記実施形態では、導電体は、銅箔１４としたが、銀箔やアルミ箔などの導電率のよい他の材料でもよい。
【００２８】
上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３０】
１      携帯電話機（携帯端末）
２      表示部
３      正面側キャビネット
３ａ    ディスプレイ収容部
４      背面側キャビネット
５      リアカバー
６      板金フレーム
７      充電池
８      回路基板
１０      接地シート
１１      滑り止めシート
１２      押圧クッション
１４      銅箔（導電体）
１５      保護シート
１６      グラファイトシート（熱伝導材料）
１７      両面粘着テープ
１８      導電性両面テープ
【図１】
2014116749.tif 000003
【図２】
2014116749.tif 000004
【図３】
2014116749.tif 000005
【図４】
2014116749.tif 000006
【図５】
2014116749.tif 000007
【図６】
2014116749.tif 000008
【図７】
2014116749.tif 000009